(57)【要約】      （修正有）【課題】挿入された各床材を全体的に殺菌できる床材殺菌庫を提供する。【解決手段】筐体殺菌庫１の筐体内には、複数の線光源４が筐体の幅方向に配列される。隣り合う線光源４の間には、畳やマット等の床材６を立てて挿入できる隙間５が形成される。床材６は、挿入レール３１上をスライドして挿入され、支持フレームにより、立てた状態で指示される。挿入された床材６の２つの主面は、紫外線源４と対向し、床材６は紫外線源４に挟まれた状態となる。【選択図】図３
0003171723.tif 000002
【実用新案登録請求の範囲】
【請求項１】
床材を殺菌する床材殺菌庫であって、
正面に扉を有する筐体と、
筐体内に配列された複数の紫外線源とを備え、
隣り合う紫外線源の間に形成され、前記床材の主面が紫外線源と対向するように前記床材が挿入される隙間を有することを特徴とする床材殺菌庫。
【請求項２】
請求項１に記載の床材殺菌庫であって、
前記筐体は、前記紫外線源を着脱可能に係止するための第１の係止機構を備え、
前記紫外線源は、前記第１の係止機構と係合する第２の係止機構を備えることを特徴とする床材殺菌庫。
【請求項３】
請求項２に記載の床材殺菌庫であって、
前記紫外線源はさらに、仮想平面上に配置され紫外線を照射する複数の点光源及び／又は線光源を含み、
前記紫外線源は、前記仮想平面が前記床材の主面と並行になるよう配列されることを特徴とする床材殺菌庫。
【請求項４】
請求項１又は請求項２に記載の床材殺菌庫であってさらに、
前記隙間に配設され、前記挿入された床材を支持する複数の支持部材を備えることを特徴とする床材殺菌庫。
【請求項５】
請求項１又は請求項２に記載の床材殺菌庫であってさらに、
前記隙間に配設され、前記床材の挿入方向に延び、床材をスライドして挿入するための複数のレールを備え、
前記レールの表面は、凸状に丸みを帯びていることを特徴とする床材殺菌庫。
【請求項６】
請求項１又は請求項２に記載の床材殺菌庫であってさらに、
前記筐体の内面に敷設され、前記紫外線源から照射された紫外線を反射する反射素子を備えることを特徴とする床材殺菌庫。
【請求項７】
請求項１又は請求項２に記載の床材殺菌庫であってさらに、
前記筐体内部にオゾンを供給するオゾン発生装置と、
前記筐体内に配設される遠赤外線発生装置とを備えることを特徴とする床材殺菌庫。
【考案の詳細な説明】
【技術分野】
【０００１】  本考案は、床材殺菌庫に関し、さらに詳しくは、畳やマット等の床材を殺菌する床材殺菌庫に関する。
【背景技術】
【０００２】  体育館や柔道場等の種々の運動施設では、畳やマット等の床材が利用される。運動施設を利用するユーザは、これらの床材の上で運動を行うため、利用後の床材には細菌が繁殖しやすい。このような衛生上の問題を解消するためには、床材を定期的に殺菌するのが好ましい。【０００３】  従来から、床材表面にアルコール等の殺菌剤を塗布又は噴霧して床材を殺菌する方法が利用されているが、この方法では、床材表面の一部を殺菌できるのみである。床材の裏面や側面及び床材内部等は殺菌できない。【０００４】  特開２００２−２２１３８９号公報に開示された乾燥庫は、乾燥庫の内壁に遠赤外線ヒータやオゾン発生器を備え、内部にマットや布団等の大型の被乾燥物を格納して乾燥及び殺菌を行う。また、特開２００１−３３３９６３号公報に開示された殺菌庫は、殺菌庫本体の天蓋下面に紫外線ランプを設け、殺菌庫内に刃物を挿入して殺菌する。【０００５】  しかしながら、これらの殺菌庫では、オゾンや紫外線の照射源が内壁付近に限られる。そのため、複数の床材を重ねて殺菌庫に挿入した場合、内壁付近の床材にはオゾンや紫外線が照射されるが、内壁から離れて挿入された床材には、オゾンや紫外線が内壁付近の床材に遮られて照射されない。その結果、挿入された各床材の全体を殺菌しにくい。【０００６】  また、運動施設は各地に点在するため、床材殺菌庫を車両に搭載して各運動施設に搬送できるようにするのが好ましい。しかしながら、搬送中の床材殺菌庫は振動や衝撃を受けるため、振動等により故障が生じる可能性もある。
【特許文献１】特開２００２−２２１３８９号公報
【特許文献２】特開２００１−３３３９６３号公報
【考案の開示】
【考案が解決しようとする課題】
【０００７】  本考案の目的は、挿入された各床材を全体的に殺菌できる床材殺菌庫を提供することである。【０００８】  本考案の他の目的は、搬送中の振動や衝撃により故障が発生しにくい床材殺菌庫を提供することである。
【課題を解決するための手段及び考案の効果】
【０００９】  本考案による床材殺菌庫は、床材を格納して殺菌する。床材格納庫は、筐体と、複数の紫外線源とを有する。筐体は、正面に扉を有する。紫外線源は、筐体内に配列される。隣り合う線光源の間には、床材の主面が紫外線源と対向するように床材が挿入される隙間が形成される。
【００１０】  本考案による床材殺菌庫は、内部に挿入された床材を紫外線源で挟む。そのため、床材の２つの主面は紫外線源と対向し、紫外線の照射を受ける。そのため、床材の表面全体に紫外線を照射できる。
【００１１】  好ましくは、筐体は、紫外線源を着脱可能に係止するための第１の係止機構を備える。そして、紫外線源は、第１の係止機構と係合する第２の係止機構を備える。
【００１２】  床材殺菌庫を車体に載置して搬送する場合、第１及び第２の係止機構により、紫外線源を筐体から取り外すことができる。そのため、搬送により筐体内で紫外線源が振動や衝撃を受けて破損し、それに伴い筐体内の各機構が破損するのを抑制できる。
【００１３】  好ましくは、紫外線源はさらに、仮想平面上に配設され、紫外線を照射する複数の点光源及び／又は線光源を含む。そして、紫外線源は、仮想平面が挿入された床材の主面と並行になるように筐体内で配列される。
【００１４】  この場合、床材の主面は紫外線の照射をより受けやすくなり、殺菌効果が向上する。
【００１５】  好ましくは、床材殺菌庫はさらに支持部材を備える。支持部材は、隙間に配設され、挿入された床材を支持する。
【００１６】  この場合、挿入された床材が倒れたりぐらついたりするのを防止できる。
【００１７】  好ましくは、床材殺菌庫はさらに、床材をスライドして挿入するための複数のレールを備える。レールのうち、床材と接触する部分は凸状に丸みを帯びている。
【００１８】  この場合、レールは凸状に丸みを帯びているため、床材と線接触する。そのため、面接触する場合と比較して、紫外線が照射される表面積を広くすることができ、殺菌効果を向上できる。
【００１９】  好ましくは、床材殺菌庫はさらに、反射素子を備える。反射素子は、筐体の内面に敷設され、紫外線源から照射された紫外線を反射する。
【００２０】  この場合、紫外線源から照射された紫外線を筐体内部全体に拡散できる。そのため、床材の表面全体に紫外線が照射されやすくなり、殺菌効果が向上する。
【００２１】  好ましくは、床材殺菌庫はさらに、オゾン発生装置と、遠赤外線発生装置とを備える。オゾン発生装置は、筐体内部にオゾンを供給する。遠赤外線発生装置は、筐体内に配設される。
【００２２】  この場合、紫外線とオゾンと遠赤外線との相乗効果により、床材を全体的により殺菌できる。
【考案を実施するための最良の形態】
【００２３】  以下、図面を参照し、本考案の実施の形態を詳しく説明する。図中同一又は相当部分には同一符号を付してその説明は繰り返さない。【００２４】  ［全体構成］
図１〜図３を参照して、床材殺菌庫１は、正面に扉２を有する筐体３を備える。床材殺菌庫１は、たとえば、トラックの荷台等の車体に搭載される。床材殺菌庫１は、畳やマット等の床材が使用されている各運動施設へ搬送され、車体に搭載された状態で現地で使用される。【００２５】  図３に示すように、筐体３は、内部に複数の紫外線源４を備える。紫外線源４は、紫外線を照射する装置であり、図４に示すとおり、同一仮想面上に複数の紫外線ランプ４００が配列された構造を有する。図３に戻って、複数の紫外線源４は、筐体３の内側の側面１１と並行し、筐体３の幅方向に並設される。【００２６】  隣り合う紫外線源４の間には、隙間５が設けられている。殺菌処理を開始する前に、扉２を開き、隙間５に床材６を立てて挿入する。このとき、隙間５に挿入された床材６の表面及び裏面（以下、これらを主面という）が、床材６を挟む２つの紫外線源４と対向する。扉２を閉めて殺菌処理を実行するとき、隣り合う紫外線源４は、間の隙間５に挟む床材６の２つの主面を照射する。そのため、床材６は、局部的ではなく全体的に殺菌される。【００２７】  ［紫外線源］
図４を参照して、紫外線源４は、棒状の上係止部材４０及び下係止部材４２と、複数の紫外線ランプ４００と、各紫外線ランプ４００を上係止部材４０及び下係止部材４２につなぐための複数のワイヤ４３とを備える。【００２８】  上係止部材４０及び下係止部材４２は、上下方向に配列され、互いに並行する。上係止部材４０及び下係止部材４２は、筐体１の奥行き方向に水平に延びる。これらの部材は紫外線源４を筐体３に着脱可能に係止するための係止機構として機能する。【００２９】  複数のワイヤ４３は、上係止部材４０から垂下され、下係止部材４２と連結される。隣り合うワイヤ４３は、複数の紫外線ランプ４００を支持する。各ワイヤ４３は、所定間隔ごとに紫外線ランプ４００を支持するための固定治具４６が取り付けられている。紫外線ランプ４００の両端は、互いに隣り合うワイヤ４３の対応する固定治具４６に取り付けられ、ワイヤ４３と連結される。各ワイヤ４３と共に、図示しない電源（たとえば発電機等）と接続された配線コード４４も垂下しており、各紫外線ランプ４００の端部と接続されている。これにより、紫外線ランプ４００は、電源と接続され紫外線を照射できる。【００３０】  各ワイヤ４３の下端と下係止部材４２との間には、弾性体であるバネ４５が取り付けられる。要するに、上係止部材４０と並行に吊り下げられた複数の紫外線ランプ４００は、バネ４５を介して下係止部材４２と連結する。【００３１】  以上の構成を有する紫外線源４は、紫外線ランプ４００が筐体３の側面１１と並行になるように、筐体３に着脱可能に取り付けられる。筐体３は、複数の紫外線源４を内部に取り付けるための係止機構を備える。具体的には、図３及び図５〜図８に示すように、係止機構は、底面側に固定された係止部材４８と、天面側に固定された係止部材４９とを備える。【００３２】  筐体３内の底面側及び天面側の各々には、筐体３の幅方向に延びた２本の下支持梁１６及び２本の上支持梁１７が架設される。２本の下支持梁１６は、筐体３の正面付近及び背面付近に互いに並行に架設される。そして、２本の上支持梁１７も同様に架設される。【００３３】  係止部材４８は、筐体３の奥行き方向に延びた円筒状の部材であり、その両端を２本の下支持梁１６に固定される。係止部材４８の上部は長手方向に沿って開口している。係止部材４８と同様に、係止部材４９は、筐体３の奥行き方向に延びた円筒状部材であり、その両端を２本の上支持梁１７に固定される。そして、係止部材４９の下部は長手方向に沿って開口している。【００３４】  紫外線源４の上係止部材４０が係止部材４９内に挿入され、下係止部材４２が係止部材４８に挿入されれば、紫外線源４は各係止部材４８及び４９により筐体３内に係止される。つまり、紫外線源４は筐体３に取り付けられる。このとき、紫外線源４のワイヤ４３は、係止部材４９の開口部から下方に垂下される。また、紫外線源４が係止されたときバネ４５が若干伸びるため、ワイヤ４３は張力を与えられる。そのため、紫外線ランプ４００はワイヤ４３の緩みによりふらつかない。【００３５】  一方、上係止部材４０及び下係止部材４２を係止部材４８及び４９から抜き取れば、紫外線源４を筐体３から容易に取り外すことが��きる。車体に搭載された床材殺菌庫１を搬送するとき、紫外線源４を取り付けたまま搬送すれば、搬送時の振動や衝撃により、紫外線ランプ４００が破損する場合がある。紫外線ランプ４００が破損すれば、その破片が筐体３内部に飛び散り、筐体３内の他の部材も破損しやすくなる。本実施の形態による床材殺菌庫１では、筐体３及び紫外線源４の係止機構により、紫外線源４を筐体３に容易に着脱できる。そのため、搬送時に紫外線源４を取り外して搬送すれば、上述の紫外線ランプ４００の破損等による故障を回避できる。そして、目的地（体育館等の運動施設等）に到着した後に紫外線源４を筐体３に容易に取り付けることができる。【００３６】  なお、紫外線源４の係止機構及び筐体３の係止機構は、紫外線源４を筐体３から着脱可能な機構とすれば、上述の機構に限らない。【００３７】  ［床材挿入機構］
本実施の形態による床材殺菌庫１はさらに、畳やマットといった大型の床材を容易に筐体３内に挿入し、挿入された床材を支持する床材挿入機構を備える。図３及び図５〜図８を参照して、床材挿入機構は、筐体３の底面側に設けられた挿入レール３１と、底面側及び天井側に設けられた支持ユニット３０及び４０とを備える。【００３８】  図３、図５及び図６を参照して、挿入レール３１は、筐体３の奥行き方向に延びた円柱体であり、その両端は、２本の下支持梁１６にボルト等で固定される。挿入レール３１は、たとえばステンレス等の金属からなり、表面を反射効率の高い金属（銀等）でコーティングされたものが好ましい。紫外線を反射させるためである。挿入レール３１は、隣り合う係止部材４８の中間位置に配設される。床材殺菌庫１の利用者が床材６を筐体３内に挿入するとき、立てた床材６の下面を挿入レール３１に載せ、床材６を挿入レール３１上でスライドさせながら筐体３内に挿入する。【００３９】  支持ユニット３０及び５５は、殺菌処理中の床材６を立てた状態で支持するためのものである。支持ユニット３０は、隣り合う係止部材４８の間に配設される。支持ユニット３０は、挿入レール３１を挟んで並設される２つの支持フレーム３２を含む。各支持フレーム３２は、挿入レール３１と並行に延びた円柱部材３２１と、一対の脚部３２２とを備える。各脚部３２２は、対応する下支持梁１６上に立設され、その上端は円柱部材３２１の端部と連結する。同様に、支持ユニット５５は、互いに並設された２つの支持フレーム４１を備える。各支持フレーム４１は、対応する支持フレーム３２の真上に配設される。支持フレーム４１の構造は支持フレーム３２と同じである。具体的には、円柱部材４１１と、円柱部材４１１の両端に連結され、上支持梁１７に垂設された２つの脚部４１２とを備える。【００４０】  床材殺菌庫１内に床材６を立てて挿入したとき、挿入後の床材６の主面の上縁部分は、支持フレーム４１に挟まれ、床材６の主面の下縁部分は支持フレーム３２に挟まれる。そのため、支持フレーム４１及び３２は、殺菌中の床材６を立てた状態で支持する。【００４１】  さらに、挿入レール３１の横断形状は円形であり、床材６と接触する部分の横断形状は凸に丸みを帯びている。そのため、床材６と挿入レール３１とは線接触する。換言すれば、横断形状が矩形等のレールを用いた場合と比較して、挿入レール３１では、床材６との接触面積が小さい。そのため、挿入レール３１と接触している床材６の面において、紫外線が照射される面積を大きくすることができ、効果的に殺菌できる。同様の理由で、各支持フレーム３２及び４１の円柱部材３２１及び４１１も床材主面と線接触するため、支持フレーム３２及び４１との接触により紫外線が照射される面積が減少するのを抑えることができる。【００４２】  ［反射板］
図３に示すように、筐体３の６つの内面（正面は図示せず）には、反射板５０が敷設される。反射板５０は、入射された紫外線を乱反射する。そのため、紫外線源４から照射された紫外線を筐体３内に均一に拡散させることができ、床材６の表面全体に紫外線を照射できる。なお、反射板５０Ａに示すように、反射板５０の表面は、凹凸を有するのが好ましい。凹凸がレンズの役割を果たし、紫外線を効果的に乱反射するためである。【００４３】  ［オゾンユニット及び赤外線ヒータ］
本実施の形態による床材殺菌庫１は、殺菌処理時において、上述の紫外線を照射するだけでなく、オゾンによる殺菌と、遠赤外線による乾燥及び殺菌を行う。【００４４】  図３及び図９を参照して、筐体３の天井部分には、複数のオゾン発生ユニット６０が配設される。オゾン発生ユニット６０は、オゾン発生器６２と、オゾン発生器６２の下方の図示しない開口部上に敷設されるオゾン拡散用ファン６３とを備える。オゾン発生器６２がオゾンを発生し、ファン６３がオゾンを筐体３内部に供給する。これにより、床材６は、紫外線だけでなく、オゾンでも殺菌される。【００４５】  さらに、図３及び図１０を参照して、筐体３の内側四隅には、複数の遠赤外線ヒータ７０が取り付けられる。複数の遠赤外線ヒータ７０は、筐体３内の温度を上昇し、熱により床材を乾燥し、殺菌する。遠赤外線を用いて乾燥及び殺菌を行う場合、筐体３内の温度は図示しない温度センサー及び制御装置で監視される。遠赤外線ヒータ７０が加熱を開始してから筐体３内の温度が設定温度になるまで、制御装置は図３及び図９に示す排気ファン６５を停止する。そして、設定温度を超えたとき、制御装置は、排気ファン６５を駆動して、筐体３内の空気及び湿度を外部に排出する。要するに、排気ファン６５は、筐体３内の温度が設定温度を超えたとき駆動して、設定温度以下のとき停止する。排気ファン６５は常時駆動せず、設定温度以下の場合は停止しているため、筐体３内の温度を効率よく上昇でき、かつ、効率よく湿度を排出できる。また、排気ファン６５の動作を制御することにより、筐体３内の温度を所定の設定温度に維持できる。なお、筐体３内の好ましい温度（設定温度）は、３８℃〜４３℃であり、より好ましい設定温度は３９℃〜４１℃である。最も好ましい設定温度は３９．５℃〜４０．５℃である【００４６】  以上のとおり、本実施の形態による床材殺菌庫１は、各床材６を紫外線源４で挟み込んで紫外線を照射する。そのため、床材６の面全体に紫外線が照射され、殺菌効果を向上できる。さらに、紫外線源４は筐体３から着脱可能であるため、床材殺菌庫１の搬送時に、紫外線源４を筐体３から取り外し、紫外線ランプ４００が搬送中の振動や衝撃により破損するのを抑制できる。また、床材６は挿入レール３１により、容易に筐体３内に挿入される。さらに、挿入レール３１及び各支持フレーム３２及び４１の横断形状は凸状に丸みを帯びているため、床材６と線接触する。そのため、紫外線の照射される面積をなるべく大きく確保できる。さらに、紫外線だけでなく、オゾンや遠赤外線も利用して殺菌処理を行うため、これらの相乗効果により殺菌効果がより向上する。【００４７】  なお、上述の説明では、床材６を立てて筐体３内に挿入したが、たとえば、床材６を横に挿入してもよい。この場合、複数の紫外線源４は、筐体３の底面と並行に配設され、上下方向に並設される。【００４８】  また、本実施の形態では、床材殺菌庫１を車体等に搭載して搬送させることを前提としたが、床材殺菌庫１を業者の施設内に固定して設けてもよい。この場合、運動施設から床材を業者の施設に搬送して、搬送された床材を殺菌処理すればよい。【００４９】  また、上述の説明では、紫外線源４は複数の線光源（紫外線ランプ４００）を含むが、線光源の代わりに、紫外線を照射するＬＥＤ等の複数の点光源を仮想平面上に含んでもよい。さらに、複数の線光源及び点光源を仮想平面上に含んでもよい。【００５０】  また、挿入レール３１の横断形状を円形としたが、床材と接触する部分の横断形状が凸状に丸みを帯びていれば円形に限らず他の形状でもよい。各支持フレーム３２及び４１も同様である。【００５１】  以上、本考案の実施の形態を説明したが、上述した実施の形態は本考案を実施するための例示に過ぎない。よって、本考案は上述した実施の形態に限定されることなく、その趣旨を逸脱しない範囲内で上述した実施の形態を適宜変形して実施することが可能である。
【図面の簡単な説明】
【００５２】
【図１】本考案の実施の形態による床材殺菌庫の外観正面図である。
【図２】図１に示した床材殺菌庫の外観側面図である。
【図３】図２に示した線分ＩＩＩ−ＩＩＩにおける断面図である。
【図４】図３に示した紫外線源の正面図及び側面図である。
【図５】図３中の筐体の底面近傍部分の拡大図である。
【図６】図５に示す底面近傍部分の上面図である。
【図７】図３中の筐体の天面近傍部分の拡大図である。
【図８】図７に示す天面近傍部分の下面図である。
【図９】図１に示した床材殺菌庫の上面図である。
【図１０】図１に示した床材殺菌庫の線分Ｘ−Ｘの断面図である。
【符号の説明】
【００５３】１  床材殺菌庫
２  扉
３  筐体
４  紫外線源
５  隙間
６  床材
１６  下支持梁
１７  上支持梁
３０，５５  支持ユニット
３１  挿入レール
３２，４１  支持フレーム
４０  上係止部材
４８，４９  係止部材
５０，５０Ａ  反射板
６０  オゾン発生ユニット
６２  オゾン発生装置
６３  オゾン拡散用ファン
７０  遠赤外線ヒータ
【図１】
0003171723.tif 000003
【図２】
0003171723.tif 000004
【図３】
0003171723.tif 000005
【図４】
0003171723.tif 000006
【図５】
0003171723.tif 000007
【図６】
0003171723.tif 000008
【図７】
0003171723.tif 000009
【図８】
0003171723.tif 000010
【図９】
0003171723.tif 000011
【図１０】
0003171723.tif 000012